(57)【要約】【課題】画像データの印刷を行う印刷要求者に応じた広告情報を容易に記録媒体に印刷することが可能な広告情報印刷システムを提供する。【解決手段】本開示の一態様にかかる広告情報印刷システムは、画像形成装置（100）と、広告サーバ(200)と、を有して構成し、画像形成装置（100）は、画像データの印刷操作を行う印刷要求者を撮像し、印刷要求者の画像データを取得する撮像手段と、印刷要求者の画像データに応じた広告情報を広告サーバ（200）から取得する取得手段と、画像データと広告情報とを記録媒体に印刷する印刷手段と、を有することを特徴とする。【選択図】図１
2014091254.tif 000002
【特許請求の範囲】
【請求項１】
画像形成装置と、広告サーバと、を有して構成する広告情報印刷システムであって、
前記画像形成装置は、
画像データの印刷操作を行う印刷要求者を撮像し、前記印刷要求者の画像データを取得する撮像手段と、
前記印刷要求者の画像データに応じた広告情報を前記広告サーバから取得する取得手段と、
前記画像データと前記広告情報とを記録媒体に印刷する印刷手段と、を有することを特徴とする広告情報印刷システム。
【請求項２】
前記画像形成装置の前記取得手段は、
前記印刷要求者の画像データを前記広告サーバに送信する送信手段を有し、
前記広告サーバは、
広告情報を客層情報に関連付けて記憶する広告情報記憶手段と、
前記印刷要求者の画像データを受信する受信手段と、
前記受信手段で受信した前記印刷要求者の画像データの客層情報を特定する特定手段と、
前記広告情報記憶手段を検索し、前記特定手段で特定した前記客層情報に関連付けられた広告情報を前記画像形成装置に送信する送信手段と、を有し、
前記取得手段は、
前記印刷要求者の画像データに応じた広告情報を前記広告サーバから取得する、ことを特徴とする請求項１記載の広告情報印刷システム。
【請求項３】
前記広告サーバは、
前記印刷要求者の画像データと、前記印刷要求者の画像データの客層情報と、を関連付けて記憶する個人情報記憶手段を有し、
前記特定手段は、前記受信手段で受信した前記印刷要求者の画像データと、前記個人情報記憶手段に記憶されている前記印刷要求者の画像データと、を比較し、前記受信手段で受信した前記印刷要求者の画像データに該当する前記個人情報記憶手段に記憶されている前記印刷要求者の画像データに関連付けられた前記客層情報を、前記受信手段で受信した前記印刷要求者の画像データの客層情報として特定する、ことを特徴とする請求項２記載の広告情報印刷システム。
【請求項４】
前記画像形成装置は、
前記印刷要求者の画像データを解析し、前記印刷要求者の画像データの客層情報を特定する特定手段を有し、
前記画像形成装置の前記送信手段は、
前記印刷要求者の画像データと前記印刷要求者の画像データの客層情報とを前記広告サーバに送信し、
前記広告サーバの前記受信手段は、
前記印刷要求者の画像データと前記印刷要求者の画像データの客層情報とを受信し、
前記広告サーバの前記特定手段は、
前記受信手段で受信した前記印刷要求者の画像データと、前記個人情報記憶手段に記憶されている前記印刷要求者の画像データと、を比較し、前記受信手段で受信した前記印刷要求者の画像データに該当する前記個人情報記憶手段に記憶されている前記印刷要求者の画像データに関連付けられた前記客層情報と、前記受信手段で受信した前記客層情報と、の平均値から前記受信手段で受信した前記印刷要求者の画像データの客層情報を特定する、ことを特徴とする請求項３記載の広告情報印刷システム。
【請求項５】
前記広告情報印刷システムは、ＰＯＳ端末を有して構成し、
前記画像形成装置は、
前記印刷要求者の画像データを前記ＰＯＳ端末に送信する送信手段を有し、
前記ＰＯＳ端末は、
前記印刷要求者の画像データを表示する表示手段と、
前記表示手段に表示された前記印刷要求者の画像データに応じた客層情報を人手操作で入力する入力手段と、
前記印刷要求者の画像データと前記客層情報とを前記広告サーバに送信する送信手段と、を有し、
前記広告サーバの前記受信手段は、
前記印刷要求者の画像データと前記客層情報とを受信し、
前記広告サーバの前記特定手段は、
前記受信手段で受信した前記印刷要求者の画像データと、前記個人情報記憶手段に記憶されている前記印刷要求者の画像データと、を比較し、前記受信手段で受信した前記印刷要求者の画像データに該当する前記個人情報記憶手段に記憶されている前記印刷要求者の画像データに関連付けられた前記客層情報と、前記受信手段で受信した前記客層情報と、の平均値から前記受信手段で受信した前記印刷要求者の画像データの客層情報を特定する、ことを特徴とする請求項３記載の広告情報印刷システム。
【請求項６】
前記画像形成装置の送信手段は、
前記印刷要求者の画像データと前記画像形成装置の周囲の環境情報とを前記広告サーバに送信し、
前記広告サーバの前記広告情報記憶手段は、
前記広告情報を前記客層情報と前記環境情報とに関連付けて記憶し、
前記広告サーバの前記受信手段は、
前記印刷要求者の画像データと前記環境情報とを受信し、
前記広告サーバの送信手段は、
前記広告情報記憶手段を検索し、前記特定手段で特定した前記客層情報と前記受信手段で受信した前記環境情報とに関連付けられた広告情報を前記画像形成装置に送信し、
前記取得手段は、
前記印刷要求者の画像データと前記環境情報とに応じた広告情報を前記広告サーバから取得する、ことを特徴とする請求項２から請求項４の何れか１項に記載の広告情報印刷システム。
【請求項７】
前記ＰＯＳ端末の送信手段は、
前記印刷要求者の画像データと前記客層情報と前記画像形成装置の周囲の環境情報とを前記広告サーバに送信し、
前記広告サーバの前記広告情報記憶手段は、
前記広告情報を前記客層情報と前記環境情報とに関連付けて記憶し、
前記広告サーバの前記受信手段は、
前記印刷要求者の画像データと前記客層情報と前記環境情報とを受信し、
前記広告サーバの送信手段は、
前記広告情報記憶手段を検索し、前記特定手段で特定した前記客層情報と前記受信手段で受信した前記環境情報とに関連付けられた広告情報を前記画像形成装置に送信し、
前記取得手段は、
前記印刷要求者の画像データと前記環境情報とに応じた広告情報を前記広告サーバから取得する、ことを特徴とする請求項５記載の広告情報印刷システム。
【請求項８】
画像データの印刷操作を行う印刷要求者を撮像し、前記印刷要求者の画像データを取得する撮像手段と、
前記印刷要求者の画像データに応じた広告情報を広告サーバから取得する取得手段と、
前記画像データと前記広告情報とを記録媒体に印刷する印刷手段と、を有することを特徴とする画像形成装置。
【請求項９】
画像データの印刷操作を行う印刷要求者を撮像手段で撮像し、前記印刷要求者の画像データを取得する撮像処理と、
前記印刷要求者の画像データに応じた広告情報を広告サーバから取得する取得処理と、
前記画像データと前記広告情報とを記録媒体に印刷する印刷処理と、を、コンピュータに実行させることを特徴とするプログラム。
【発明の詳細な説明】
【技術分野】
【０００１】
本開示は、広告情報を印刷する技術に関する。
【背景技術】
【０００２】
近年、デジタル複写機、複合機などの画像形成装置は、ネットワークを利用して広告情報をサーバから取得し、その取得した広告情報を記録媒体に印刷する技術がある。
【０００３】
例えば、特許文献１（特開2003-285512号公報）や、特許文献２（特開2010−076260号公報）には、印刷要求者がタッチパネルなどを操作して印刷要求者自身の個人情報を画像形成装置に入力する。画像形成装置は、画像形成装置に入力された個人情報に基づいてコンテンツサーバからコンテンツを取得し、その取得したコンテンツを記録媒体に印刷する技術について開示されている。また、特許文献１には、カードに記憶されている印刷要求者自身の個人情報を画像形成装置が読み取り、その画像形成装置が読み取った個人情報に基づいてコンテンツサーバからコンテンツを取得し、その取得したコンテンツを記録媒体に印刷する技術について開示されている。
【発明の概要】
【発明が解決しようとする課題】
【０００４】
しかし、特許文献１や特許文献２では、印刷要求者自身が手動操作により印刷要求者自身の個人情報を入力する必要があり、印刷要求者に手間を取らせることになる。また、特許文献１には、カードに記憶されている個人情報を画像形成装置で読み取ることで、入力操作の手間を省くことができる技術について開示されている。しかし、カードに記憶されている個人情報を画像形成装置で読み取る必要があるため、カードを携帯する必要がある。また、カードを紛失した場合には、カードに記憶されている個人情報が漏洩されてしまう場合がある。
【０００５】
また、特許文献１では、印刷要求者が個人情報を画像形成装置に入力したり、カードに記憶されている個人情報を画像形成装置に読み取らせなければ、広告情報をコンテンツサーバから取得して記録媒体に印刷することができない。また、特許文献２では、印刷要求者が個人情報を画像形成装置に入力しなければ、広告情報をコンテンツサーバから取得して記録媒体に印刷することができない。
【０００６】
本開示の目的は、画像データの印刷を行う印刷要求者に応じた広告情報を容易に記録媒体に印刷することが可能な広告情報印刷システムを提供することにある。
【課題を解決するための手段】
【０００７】
本開示の一態様にかかる広告情報印刷システムは、画像形成装置と、広告サーバと、を有して構成する広告情報印刷システムであって、
前記画像形成装置は、
画像データの印刷操作を行う印刷要求者を撮像し、前記印刷要求者の画像データを取得する撮像手段と、
前記印刷要求者の画像データに応じた広告情報を前記広告サーバから取得する取得手段と、
前記画像データと前記広告情報とを記録媒体に印刷する印刷手段と、を有することを特徴とする。
【発明の効果】
【０００８】
本開示の一態様によれば、画像データの印刷を行う印刷要求者に応じた広告情報を容易に記録媒体に印刷することができる。
【図面の簡単な説明】
【０００９】
【図１】第１実施形態の広告情報印刷システムのシステム構成例を示す図である。
【図２】画像形成装置100の外観構成例を示す図である。
【図３】画像形成装置100の機能構成例を示す図である。
【図４】広告サーバ200に送信する各種情報を示す図である。
【図５】広告サーバ200の機能構成例を示す図である。
【図６】個人情報データベース204に蓄積される印刷要求者個人情報を示す図である。
【図７】広告情報データベース205に記憶される広告情報を示す図である。
【図８】第１実施形態の広告情報印刷システムの一連の処理動作例を示す図である。
【図９】第２実施形態の広告情報印刷システムのシステム構成例を示す図である。
【図１０】POS（Point Of Sale）端末300の外観構成例を示す図である。
【図１１】POS端末300の機能構成例を示す図である。
【図１２】第２実施形態の広告情報印刷システムの一連の処理動作例を示す図である。
【図１３】第３実施形態の広告情報印刷システムの一連の処理動作例を示す第１の図である。
【図１４】第３実施形態の広告情報印刷システムの一連の処理動作例を示す第２の図である。
【図１５】広告情報データベース205に記憶される広告情報を示す図である。
【発明を実施するための形態】
【００１０】
（本開示の一態様にかかる広告情報印刷システムの実施形態の概要）
まず、図１、図３、図８を参照しながら、本開示の一態様にかかる広告情報印刷システムの実施形態の概要について説明する。図１は、本開示の一態様にかかる広告情報印刷システムのシステム構成例を示す図である。図３は、本開示の一態様にかかる広告情報印刷システムを構成する画像形成装置100の構成例を示す。図８は、本開示の一態様にかかる広告情報印刷システムの処理動作例を示す図である。
【００１１】
本開示の一態様にかかる広告情報印刷システムは、図１に示すように、画像形成装置100と、広告サーバ200と、を有して構成する広告情報印刷システムである。
【００１２】
画像形成装置100は、撮像手段と、取得手段と、印刷手段と、を有して構成し、図８に示す処理を行う。撮像手段は、画像データの印刷操作を行う印刷要求者を撮像し、印刷要求者の画像データを取得する撮像処理を行う（ステップS2）。取得手段は、印刷要求者の画像データに応じた広告情報を広告サーバ200から取得する取得処理を行う（ステップS5〜S9）。印刷手段は、画像データと広告情報とを記録媒体に印刷する印刷処理を行う（ステップS10）。この場合、図３に示すカメラ102が撮像手段として機能する。また、制御部110、通信制御部115が取得手段として機能する。また、画像形成部114が印刷手段として機能する。
【００１３】
本開示の一態様にかかる広告情報印刷システムは、印刷要求者を撮像して得られた印刷要求者の画像データを広告サーバ200に送信し、印刷要求者の画像データに応じた広告情報を取得して記録媒体に印刷する。このため、印刷要求者は、個人情報を画像形成装置100に入力することなく、画像データの印刷を行う印刷要求者に応じた広告情報を容易に記録媒体に印刷することができる。以下、添付図面を参照しながら、本開示の一態様にかかる広告情報印刷システムの実施形態について詳細に説明する。
【００１４】
（第１の実施形態）
＜広告情報印刷システムのシステム構成例＞
まず、図１を参照しながら、本実施形態の広告情報印刷システムのシステム構成例について説明する。図１は、本実施形態の広告情報印刷システムのシステム構成例を示す図である。
【００１５】
本実施形態の広告情報印刷システムは、画像形成装置100と、広告サーバ200と、がネットワークNWを介して接続して構成する。画像形成装置100は、例えば、コンビニエンスストアなどの店舗内に設置される。広告サーバ200は、例えば、店舗外のサーバルームなどに設置される。ネットワークNWは、有線、無線を問わず、各装置間で情報通信が可能であれば、任意の通信形態が適用可能である。
【００１６】
本実施形態の広告情報印刷システムは、印刷要求者の顔画像を画像形成装置100に実装されたカメラで撮像し、印刷要求者の顔画像データを取得する。画像形成装置100は、印刷要求者の所望する原稿の画像データを画像形成装置100で印刷する際に、カメラで取得した印刷要求者の顔画像データを解析し、印刷要求者の性別と年齢との客層情報を特定する。そして、画像形成装置100は、印刷要求者の顔画像データ、性別、年齢の客層情報を広告サーバ200に送信する。広告サーバ200は、印刷要求者の顔画像データ、性別、年齢の客層情報を基に、印刷要求者に応じた広告情報を特定し、その特定した広告情報を画像形成装置100に送信する。これにより、画像形成装置100は、印刷要求者に応じた広告情報を広告サーバ200から取得する。画像形成装置100は、印刷要求者の所望する原稿の画像データを記録媒体である用紙に印刷すると共に、広告サーバ200から取得した広告情報もその用紙に印刷する。これにより、印刷要求者の所望する原稿の画像データが印刷された用紙に印刷要求者に応じた広告情報を印刷することができる。例えば、印刷要求者の所望する原稿の画像データを用紙の表面に印刷し、広告情報を用紙の裏面に印刷する。
【００１７】
＜画像形成装置100の構成例＞
次に、図２、図３を参照しながら、画像形成装置100の構成例について説明する。図２は、画像形成装置100の外観構成例を示し、図３は、画像形成装置100の機能構成例を示す。
【００１８】
画像形成装置100は、図２に示すように、操作パネル101と、カメラ102と、を有している。図２では、カメラ102は、操作パネル101の横に設けられている。操作パネル101は、操作画面103、操作ボタン104を有している。画像形成装置100を操作して印刷を行う印刷要求者は、操作画面103、操作ボタン104を操作し、印刷要求者の所望する原稿の画像データを記録媒体である用紙に印刷するための印刷操作を行う。印刷操作としては、一般的なコンビニエンスストアなどに設置されている画像形成装置で行う通常の印刷操作であり、例えば、印刷したい原稿をスキャナなどの画像読取部に設置する。そして、原稿の印刷枚数や、原稿を印刷する用紙サイズ、原稿を印刷する際の印刷モードなどを設定する。これにより、原稿を画像読取部で読み取り、原稿の画像データを用紙に印刷することができる。印刷モードとしては、例えば、モノクロ2値モード、グレースケールモード、フルカラーモードなどがあげられる。カメラ102は、印刷要求者が操作パネル101を操作しているときに、印刷要求者を撮像し、印刷要求者の顔画像データを取得する。このため、図２に示すように、操作パネル101の近傍に設置することが好ましい。操作パネル101の近傍に設置することで、印刷要求者の顔画像データを容易に取得することができる。カメラ102は、印刷要求者の顔画像データを取得する撮像手段として機能する。カメラ102は、印刷要求者の顔画像を撮像して顔画像データを取得することが可能であれば、任意のカメラが適用可能である。
【００１９】
画像形成装置100は、図３に示すように、制御部110、主記憶部111、画像読取部112、画像処理部113、画像形成部114、通信制御部115、操作パネル101、カメラ102を有して構成する。
【００２０】
制御部110は、画像形成装置100を統括的に制御する。制御部110は、CPU（Central Processing Unit）などで構成する。主記憶部111は、プログラムを格納したり、ワークメモリなどとして使用する。主記憶部111は、ROM（Read Only Memory）、RAM（Random Access Memory）などで構成する。
【００２１】
画像読取部112は、原稿を読み取り、原稿の画像データを得る。画像処理部113は、主記憶部111に記憶されている画像データや、画像読取部112で原稿を読み取って得られた画像データを加工する処理を行う。画像形成部114は、画像データを用紙に印刷する。また、広告サーバ200から取得した広告情報を用紙に印刷する。通信制御部115は、広告サーバ200と通信を行い、広告サーバ200に各種情報を送信し、広告サーバ200から印刷要求者に応じた広告情報を取得する。
【００２２】
画像形成装置100から広告サーバ200に送信する各種情報は、図４に示すように、印刷要求者個人情報と、その他の情報と、があげられる。
【００２３】
印刷要求者個人情報は、印刷要求者を特定するための個人情報であり、印刷要求者の顔画像データ、性別情報、年齢情報の３つの要素を含んで構成する。顔画像データは、カメラ102で印刷要求者の顔画像を撮像して得られた顔画像データである。顔画像データは、１個のファイルデータで構成する。顔画像データの画像フォーマットは特に限定せず、任意の画像フォーマットで構成する。性別情報は、印刷要求者の性別を特定するための客層情報である。画像形成装置100は、顔画像データを解析し、男女の判別を行い、男または女を特定する。年齢情報は、印刷要求者の年齢を特定するための客層情報である。画像形成装置100は、顔画像データを解析し、年齢を特定する。例えば、５歳、１５歳、２５歳、３５歳、４５歳、５５歳、６５歳のいずれかの年齢を特定する。
【００２４】
その他の情報は、画像形成装置100のＩＰ（Internet Protocol）アドレス、広告情報を印刷する印刷枚数、広告情報を印刷する用紙サイズを含んで構成する。ＩＰアドレスは、画像形成装置100を特定するための機器情報である。印刷枚数は、広告情報を印刷する枚数を特定するための情報であり、印刷要求者が操作パネル101を操作して得られる情報である。用紙サイズは、広告情報を印刷する用紙サイズを特定するための情報であり、印刷要求者が操作パネル101を操作して得られる情報である。
【００２５】
＜広告サーバ200の構成例＞
次に、図５を参照しながら、広告サーバ200の構成例について説明する。図５は、広告サーバ200の機能構成例を示す。
【００２６】
広告サーバ200は、制御部201、主記憶部202、通信制御部203、個人情報データベース204、広告情報データベース205、操作部206を有して構成する。
【００２７】
制御部201は、広告サーバ200を統括的に制御する。制御部201は、CPUなどで構成する。主記憶部202は、プログラムを格納したり、ワークメモリなどとして使用する。主記憶部202は、ROM、RAMなどで構成する。通信制御部203は、画像形成装置100と通信を行う。
【００２８】
個人情報データベース204は、図６に示す印刷要求者個人情報を記憶する。個人情報データベース204は、HDD（Hard Disk Drive）などで構成する。図６は、個人情報データベース204に記憶される印刷要求者個人情報を示す。広告サーバ200は、過去から現在にわたって画像形成装置100から送信されてきた印刷要求者個人情報を個人情報データベース204に蓄積する。
【００２９】
個人情報データベース204では、画像形成装置100から送信されてきた印刷要求者個人情報を印刷要求者毎に配列、もしくは連結リストで管理して蓄積する。印刷要求者個人情報を印刷要求者毎に個人情報データベース204に蓄積することで、印刷要求者の性別、年齢である客層情報を詳細に特定することができる。
【００３０】
例えば、個人情報データベース204に蓄積されている印刷要求者個人情報全体を、蓄積印刷要求者個人情報と呼ぶとする。図６は、蓄積印刷要求者個人情報のエントリーNo.が４つあること、即ち、印刷要求者４人分の印刷要求者個人情報が個人情報データベース204に蓄積されており、各印刷要求者の印刷要求者個人情報が片方向連結リストで管理されている例を示している。
【００３１】
広告サーバ200は、画像形成装置100から送信された印刷要求者個人情報を受信した場合は、その印刷要求者個人情報に含まれる顔画像データと、図６に示す蓄積印刷要求者個人情報の顔画像データと、の照合を行う。例えば、先頭のエントリーNO.000001から顔画像データの照合を開始する。エントリーの先頭の蓄積印刷要求者個人情報の顔画像データ（図６に示す顔画像データ１）と、広告サーバ200が受信した印刷要求者個人情報に含まれる顔画像データと、を比較し、双方の顔画像データの類似度を算出する。類似度の算出方法は、時に限定せず、任意の方法で類似度を算出することができる。例えば、双方の顔画像データの特徴点同士を比較し、双方の特徴点の類似度を算出する方法があげられる。また、双方の顔画像データの画素の色情報（r，g，b）同士を比較し、双方の色情報の類似度を算出する方法があげられる。次に、No.000001の次の蓄積印刷要求者個人情報の顔画像データ（図６に示す顔画像データ２）と、広告サーバ200が受信した印刷要求者個人情報に含まれる顔画像データと、を比較し、双方の顔画像データの類似度を算出する。これを、エントリーNo.000001の最後まで行い、類似度の平均点を算出する。この類似度の平均点をエントリーNo.000001の平均点とする。
【００３２】
この操作を、各エントリーについて行い、各エントリーの平均点を算出する。図６では、エントリーNo.000001〜エントリーNo.000004まで行う。この中で、最も平均点の高いエントリーの平均点と、予め定めておいた閾値と、を比較する。そして、最も平均点の高いエントリーの平均点が閾値より高い場合は、そのエントリーの蓄積印刷要求者個人情報の顔画像データと、受信した印刷要求者個人情報の顔画像データと、が同一人物と判断する。エントリーの平均点が閾値より低い場合は、蓄積印刷要求者個人情報の中には、受信した印刷要求者個人情報と同一人物が存在しなかったと判断する。同一人物と判断した場合は、該当する蓄積印刷要求者個人情報のエントリーの先頭に、受信した印刷要求者個人情報を追加する。この場合、連結リストの長さに制限を設け、長さの制限を超える場合は、エントリーの最後の印刷要求者個人情報を削除することも可能である。同一人物が存在しなかった場合は、新しくエントリーを作成し、そのエントリーに、広告サーバ200が受信した印刷要求者個人情報を登録する。これにより、印刷要求者毎に印刷要求者個人情報を個人情報データベース204に蓄積することができる。
【００３３】
広告サーバ200が受信した印刷要求者個人情報を蓄積印刷要求者個人情報に追加した後は、その該当する蓄積印刷要求者個人情報に含まれる性別情報と年齢情報とを基に、印刷要求者の性別と年齢とを特定する。性別は、該当する蓄積印刷要求者個人情報の全ての性別情報を参照し、多数決で印刷要求者が男か女かを特定する。または、男性を１とし、女性を０とし、全ての性別情報の平均値を算出し、平均値が０．５より大きい場合は男性と特定し、平均値が０．５より小さい場合は女性と特定する。年齢は、該当する蓄積印刷要求者個人情報の全ての年齢情報の平均値を算出し、印刷要求者の年齢を特定する。これにより、広告サーバ200は、印刷要求者の性別と年齢とを特定することができる。
【００３４】
広告情報データベース205は、図７に示す広告情報を記憶する。広告情報データベース205は、HDD（Hard Disk Drive）などで構成する。図７は、広告情報データベース205に記憶される広告情報を示す。図７に示す広告情報は、外部の端末などから広告情報データベース205に登録する。
【００３５】
広告情報データベース205は、性別、年齢別に広告情報をランキング形式で記憶している。図７では、〜１０歳まで、１０歳〜２０歳まで、２０歳〜３０歳までの男女別の広告ランキングの例を示している。例えば、年齢が〜１０歳までの男性の広告情報は、広告Ａ、広告Ｂ、広告Ｃ、広告Ｄ、広告Ｅの順番になっている。広告情報のランキングは、スポンサーからの金額に応じて恣意的に決定してもよい。また、広告情報に関連する商品等の売れ行き等を自動的に反映してもよい。
【００３６】
広告サーバ200は、印刷要求者の性別、年齢に合わせて、最もランキングの高い広告情報を選択する。広告サーバ200は、画像形成装置100から、印刷要求者個人情報とは別に、印刷枚数と用紙サイズの情報を受信する。このため、広告サーバ200は、この印刷枚数、用紙サイズの情報を基に、複数の広告情報が用紙に印刷可能である場合は、ランキングの高い順に、印刷可能な広告情報を複数選択する。
【００３７】
例えば、広告情報を用紙の裏面に１枚ずつ印刷すると広告サーバ200に設定されていると仮定する。また、印刷要求者の性別が男性、印刷要求者の年齢が１６歳とし、原稿の画像データの印刷枚数が３枚であったと仮定する。この場合、広告サーバ200は、３枚の用紙の裏面に広告情報を１つずつ印刷することが可能と判断し、ランキングの高い順に、広告情報ａ、広告情報ｂ、広告情報ｃを選択する。広告サーバ200は、この選択した広告情報を画像形成装置100に送信する。これにより、画像形成装置100は、３枚の用紙の表面に原稿の画像データを印刷すると共に、３枚の用紙の裏面に広告情報ａ、広告情報ｂ、広告情報ｃを印刷することができる。
【００３８】
また、各広告情報をＡ４サイズで印刷すると広告サーバ200に設定されていると仮定する。また、印刷要求者の性別が男性、印刷要求者の年齢が１６歳とし、原稿の画像データの印刷枚数が１枚、用紙サイズがＡ３サイズであったと仮定する。この場合、Ａ３サイズの１枚の用紙に２つの広告情報が印刷可能であるため、広告サーバ200は、１枚の用紙の裏面に２つの広告情報を印刷することが可能と判断し、ランキングの高い順に、広告情報ａ、広告情報ｂを選択する。広告サーバ200は、この選択した広告情報を画像形成装置100に送信する。これにより、画像形成装置100は、１枚の用紙の表面に原稿の画像データを印刷すると共に、用紙の裏面に広告情報ａ、広告情報ｂを印刷することができる。
【００３９】
＜広告情報印刷システムの処理動作例＞
次に、図８を参照しながら、広告情報印刷システムの一連の処理動作例について説明する。図８は、広告情報印刷システムの一連の処理動作例を示す図である。
【００４０】
印刷要求者は、画像形成装置100の操作パネル101を操作し、印刷要求者の所望する原稿の印刷操作を行う。例えば、印刷要求者が印刷したい原稿を画像読取部112に設置する。そして、操作パネル101を操作し、原稿の印刷枚数や、原稿を印刷する用紙サイズ、原稿を印刷する際の印刷モードなどを設定する。これにより、原稿を画像読取部112で読み取り、原稿の画像データを用紙に印刷することができる。画像形成装置100は、操作パネル101の操作が行われた場合に（ステップS1/Yes）、カメラ102で印刷要求者を撮像し、印刷要求者の顔画像データを取得する（ステップS2）。
【００４１】
印刷要求者は、印刷要求者の所望する原稿の画像データの印刷を開始する場合は、操作パネル101を操作し、印刷要求者の所望する原稿の画像データの印刷要求を開始する。画像形成装置100は、原稿の画像データの印刷要求を受け付けた場合に（ステップS3/Yes）、カメラ102で取得した印刷要求者の顔画像データを解析し、印刷要求者の性別、年齢を特定する（ステップS4）。画像形成装置100は、顔画像データを解析し、男女の判別を行い、男または女を特定する。また、画像形成装置100は、顔画像データを解析し、年齢を特定する。これにより、画像形成装置100は、カメラ102から取得した印刷要求者の顔画像データを基に、印刷要求者の性別、年齢である客層情報を特定することができる。
【００４２】
次に、画像形成装置100は、印刷要求者の顔画像データ、印刷要求者の性別情報、年齢情報を含む印刷要求者個人情報を広告サーバ200に送信する（ステップS5）。この時、画像形成装置100は、画像形成装置100のＩＰアドレス、印刷枚数、用紙サイズをその他の情報として広告サーバ200に送信する。
【００４３】
広告サーバ200は、印刷要求者個人情報を受信した場合に、個人情報データベース204を検索し、広告サーバ200が受信した印刷要求者個人情報の顔画像データと一致する顔画像データの蓄積印刷要求者個人情報を特定する。そして、その特定した蓄積印刷要求者個人情報の連結リストに広告サーバ200が受信した印刷要求者個人情報を追加する（ステップS6）。これにより、広告サーバ200は、広告サーバ200が受信した印刷要求者個人情報を印刷要求者毎に個人情報データベース204に蓄積することができる。
【００４４】
次に、広告サーバ200は、広告サーバ200が受信した印刷要求者個人情報の顔画像データと一致する顔画像データの蓄積印刷要求者個人情報を基に、印刷要求者の性別と、年齢と、を特定する（ステップS7）。性別は、該当する蓄積印刷要求者個人情報の性別情報を参照し、多数決で印刷要求者が男か女かを特定する。年齢は、該当する蓄積印刷要求者個人情報の年齢情報の平均値を算出し、印刷要求者の年齢を特定する。これにより、広告サーバ200は、印刷要求者の性別と年齢とを特定することができる。
【００４５】
次に、広告サーバ200は、広告情報データベース205を参照し、ステップS7で特定した印刷要求者の性別、年齢に応じた広告情報を取得する（ステップS8）。
【００４６】
例えば、広告情報を用紙の裏面に１枚ずつ印刷すると広告サーバ200に設定されていると仮定する。また、ステップS7で特定した印刷要求者の性別が男性、印刷要求者の年齢が１６歳と仮定する。また、ステップS6で広告サーバ200が画像形成装置100から受信した印刷枚数の情報が３枚であったと仮定する。この場合、広告サーバ200は、３枚の用紙の裏面に広告情報を印刷することが可能と判断し、ランキングの高い順に、広告情報ａ、広告情報ｂ、広告情報ｃを選択する。これにより、広告サーバ200は、広告情報データベース205を参照し、印刷要求者の性別、年齢に応じた広告情報を取得することができる。
【００４７】
広告サーバ200は、ステップS8で広告情報データベース205から取得した広告情報を画像形成装置100に送信する（ステップS9）。
【００４８】
画像形成装置100は、印刷要求者の所望する原稿の画像データと、広告サーバ200から受信した広告情報と、を用紙に記録する（ステップS10）。例えば、原稿の画像データを用紙の表面に印刷し、広告情報を用紙の裏面に印刷する。これにより、画像形成装置100は、印刷要求者に応じた広告情報を広告サーバ200から取得し、その取得した広告情報を用紙に印刷することができる。
【００４９】
＜本実施形態の広告情報印刷システム＞
本実施形態の広告情報印刷システムは、印刷要求者が画像形成装置100を操作して原稿の画像データの印刷要求を行っている場合に、画像形成装置100は、印刷要求者をカメラ102で撮像し、印刷要求者の顔画像データを取得する（ステップS2）。画像形成装置100は、原稿の画像データの印刷を開始する場合は、印刷要求者の顔画像データを解析し、印刷要求者の性別、年齢の客層情報を特定する（ステップS4）。画像形成装置100は、印刷要求者の顔画像データ、性別情報、年齢情報を含む印刷要求者個人情報を広告サーバ200に送信する（ステップS5）。広告サーバ200は、画像形成装置100から送信されてきた印刷要求者個人情報を該当する印刷要求者の連結リストに追加して個人情報データベース204に蓄積する（ステップS6）。また、広告サーバ200は、該当する印刷要求者の印刷要求者個人情報の性別、年齢の客層情報に応じた広告情報を広告情報データベース205から取得し、その取得した広告情報を画像形成装置100に送信する（ステップS8、S9）。画像形成装置100は、原稿の画像データと、広告サーバ200から受信した広告情報と、を用紙に印刷する。これにより、印刷要求者は、画像形成装置100の操作パネル101を操作して印刷要求者の年齢や性別を入力しなくとも、画像形成装置100は、印刷要求者の性別、年齢の客層情報に応じた広告情報を広告サーバ200から取得することができる。そして、その取得した広告情報を用紙に容易に印刷することができる。
【００５０】
（第２の実施形態）
次に、第２の実施形態について説明する。
【００５１】
第１の実施形態の広告情報印刷システムでは、画像形成装置100がカメラ102で印刷要求者の顔画像データを取得し、その印刷要求者の顔画像データを解析し、印刷要求者の性別や年齢の客層情報を特定する。そして、その特定した印刷要求者の性別や年齢の客層情報を広告サーバ200に送信している。
【００５２】
第２の実施形態の広告情報印刷システムでは、図９に示すように、POS（Point Of Sale）端末300を有して構成する。画像形成装置100は、カメラ102で取得した印刷要求者の顔画像データをPOS端末300に送信する。POS端末300は、印刷要求者の顔画像データを基に印刷要求者の性別や年齢の客層情報を人手操作で入力し、POS端末300が印刷要求者の性別や年齢の客層情報を広告サーバ200に送信する。この場合も、第１の実施形態と同様に、印刷要求者に応じた広告情報を容易に画像形成装置100で印刷することができる。以下、図９〜図１２を参照しながら、詳細に説明する。
【００５３】
＜広告情報印刷システムのシステム構成例＞
まず、図９を参照しながら、本実施形態の広告情報印刷システムのシステム構成例について説明する。図９は、本実施形態の広告情報印刷システムのシステム構成例を示す図である。
【００５４】
本実施形態の広告情報印刷システムは、画像形成装置100と、広告サーバ200と、POS端末300と、がネットワークNW1、NW2を介して接続して構成する。画像形成装置100とPOS端末300とは、例えば、コンビニエンスストアなどの店舗内に設置され、店舗内ネットワークNW1で接続している。広告サーバ200は、例えば、店舗外のサーバルームなどに設置される。広告サーバ200は、店舗内ネットワークNW1、インターネットNW2を介して画像形成装置100、POS端末300と接続している。
【００５５】
本実施形態の広告情報印刷システムは、印刷要求者の所望する画像データを画像形成装置100で印刷する際に、画像形成装置100がカメラ102で印刷要求者の顔画像を撮像し、印刷要求者の顔画像データをPOS端末300に送信する。POS端末300の操作者は、画像形成装置100から送信されてきた印刷要求者の顔画像データを基に、印刷要求者の性別、年齢の客層情報をPOS端末300に人手操作で入力する。POS端末300は、人手操作で入力された印刷要求者の性別、年齢の客層情報と共に、印刷要求者の顔画像データを広告サーバ200に送信する。広告サーバ200は、POS端末300から送信されてきた印刷要求者の性別、年齢の客層情報、顔画像データを基に、印刷要求者に応じた広告情報を特定し、該特定した広告情報を画像形成装置100に送信する。画像形成装置100は、印刷要求者の所望する画像データを記録媒体である用紙に印刷すると共に、広告サーバ200から取得した広告情報もその用紙に印刷する。これにより、印刷要求者の所望する原稿の画像データが印刷された用紙に、印刷要求者に応じた広告情報を印刷することができる。例えば、印刷要求者の所望する原稿の画像データを用紙の表面に印刷し、広告情報を用紙の裏面に印刷する。
【００５６】
＜POS端末300の構成例＞
次に、図１０、図１１を参照しながらPOS端末300の構成例について説明する。図１０は、POS端末300の外観構成例を示し、図１１は、POS端末300の機能構成例を示す。
【００５７】
POS端末300は、図１０に示すように、操作パネル301を有している。POS端末300は、店員が操作する。POS端末300は、印刷要求者の顔画像データを画像形成装置100から受信し、その受信した印刷要求者の顔画像データを操作パネル301に表示する。図１０に示すように、操作パネル301の画面の左上には、印刷要求者の顔画像データが表示され、その右側には、店員が入力する性別と年齢帯のラジオボタンが配置されている。店員は、操作パネル301に表示された印刷要求者の顔画像データを確認すると共に、印刷要求者本人を観察し、印刷要求者の性別や年齢帯のラジオボタンをタッチすることで、印刷要求者の性別、年齢帯を入力する。店員は、入力が完了した場合に、登録ボタンをタッチする。POS端末300は、登録ボタンがタッチされた場合に、顔画像データ、店員が入力した性別情報、年齢情報を広告サーバ200に送信する。また、POS端末300は、画像形成装置100のＩＰアドレス、印刷枚数、用紙サイズの情報も併せて広告サーバ200に送信する。画像形成装置100のＩＰアドレス、印刷枚数、用紙サイズは、POS端末が画像形成装置100から取得する。
【００５８】
なお、本実施形態では、店員がPOS端末300の操作パネル301から印刷要求者の性別、年齢帯を入力する。このため、POS端末300が画像形成装置100から印刷要求者の顔画像データを取得してから店員が性別、年齢帯を所定の時間内に入力できない場合がある。この場合は、POS端末300は、性別情報を不明として扱い、年齢情報を０歳として扱い、広告サーバ200に送信する。
【００５９】
また、本実施形態では、POS端末300は、操作パネル301から入力された年齢帯データを以下のように変換する。
【００６０】
〜１０歳→  ５歳
１０〜２０歳→１５歳
２０〜３０歳→２５歳
３０〜４０歳→３５歳
４０〜５０歳→４５歳
５０〜６０歳→５５歳
６０歳〜    →６５歳
未入力      →  ０歳
【００６１】
POS端末300は、年齢帯データを上記の年齢に変換して広告サーバ200に送信することで、広告サーバ200は、第１の実施形態と同様な年齢情報をPOS端末300から受信することになる。但し、広告サーバ200は、印刷要求者情報に含まれる性別情報が未入力、年齢情報が０歳の場合は、印刷要求者の顔画像データを解析し、印刷要求者の性別、年齢を特定する。性別、年齢の特定方法は特に限定せず、任意の方法が適用可能である。
【００６２】
POS端末300は、図１１に示すように、制御部310、主記憶部311、通信制御部312、操作パネル301を有して構成する。
【００６３】
制御部310は、POS端末300を統括的に制御する。制御部310は、CPUなどで構成する。主記憶部311は、プログラムを格納したり、ワークメモリなどとして使用する。主記憶部311は、ROM、RAMなどで構成する。通信制御部312は、画像形成装置100や広告サーバ200と通信を行い、画像形成装置100から各種情報を受信し、広告サーバ200に各種情報を送信する。操作パネル301は、画像形成装置100から送信されてきた印刷要求者の顔画像データを表示する。店員は、操作パネル301に表示された顔画像データを見て、印刷要求者の年齢と性別を人手操作で入力する。これにより、POS端末300は、印刷要求者の顔画像データと共に、印刷要求者の年齢情報、性別情報を広告サーバ200に送信することができる。
【００６４】
＜広告情報印刷システムの処理動作例＞
次に、図１２を参照しながら、広告情報印刷システムの一連の処理動作例について説明する。図１２は、広告情報印刷システムの一連の処理動作例を示す図である。
【００６５】
印刷要求者は、画像形成装置100の操作パネル101を操作し、印刷要求者の所望する原稿の印刷操作を行う。例えば、印刷要求者が印刷したい原稿を画像読取部112に設置する。そして、操作パネル101を操作し、原稿の印刷枚数や、原稿を印刷する用紙サイズ、原稿を印刷する際の印刷モードなどを設定する。これにより、原稿を画像読取部112で読み取り、原稿の画像データを用紙に印刷することができる。画像形成装置100は、操作パネル101の操作が行われた場合に（ステップA1/Yes）、カメラ102で印刷要求者を撮像し、印刷要求者の顔画像データを取得する（ステップA2）。
【００６６】
印刷要求者は、印刷要求者の所望する原稿の画像データの印刷を開始する場合は、操作パネル101を操作し、印刷要求者の所望する原稿の画像データの印刷要求を開始する。画像形成装置100は、原稿の画像データの印刷要求を受け付けた場合に（ステップA3/Yes）、カメラ102で取得した印刷要求者の顔画像データをPOS端末300に送信する（ステップA4）。
【００６７】
POS端末300は、画像形成装置100から送信されてきた顔画像データを操作パネル301に表示し、店員が印刷要求者の性別、年齢の客層情報を入力する（ステップA5）。POS端末300は、印刷要求者の顔画像データ、操作パネル301から入力された性別情報、年齢情報を含む印刷要求者個人情報を広告サーバ200に送信する（ステップA6）。この時、POS端末300は、画像形成装置100のＩＰアドレス、印刷枚数、用紙サイズをその他の情報として広告サーバ200に送信する。画像形成装置100のＩＰアドレス、印刷枚数、用紙サイズは、POS端末300が画像形成装置100から顔画像データと共に受信する。
【００６８】
広告サーバ200は、印刷要求者個人情報を受信した場合に、個人情報データベース204を検索し、広告サーバ200が受信した印刷要求者個人情報の顔画像データと一致する顔画像データの蓄積印刷要求者個人情報を特定する。そして、その特定した蓄積印刷要求者個人情報の連結リストに広告サーバ200が受信した印刷要求者個人情報を追加する（ステップA7）。これにより、広告サーバ200は、広告サーバ200が受信した印刷要求者個人情報を印刷要求者毎に個人情報データベース204に蓄積することができる。
【００６９】
次に、広告サーバ200は、広告サーバ200が受信した印刷要求者個人情報の顔画像データと一致する顔画像データの蓄積印刷要求者個人情報を基に、印刷要求者の性別と、年齢と、を特定する（ステップA8）。性別は、該当する蓄積印刷要求者個人情報の性別情報を参照し、多数決で印刷要求者が男か女かを特定する。年齢は、該当する蓄積印刷要求者個人情報の年齢情報の平均値を算出し、印刷要求者の年齢を特定する。これにより、広告サーバ200は、印刷要求者の性別と年齢とを特定することができる。
【００７０】
次に、広告サーバ200は、広告情報データベース205を参照し、ステップA8で特定した印刷要求者の性別、年齢に応じた広告情報を取得する（ステップA9）。
【００７１】
例えば、広告情報を用紙の裏面に１枚ずつ印刷すると広告サーバ200に設定されていると仮定する。また、ステップA8で特定した印刷要求者の性別が男性、印刷要求者の年齢が１６歳と仮定する。また、ステップA7で広告サーバ200がPOS端末300から受信した印刷枚数の情報が３枚であったと仮定する。この場合、広告サーバ200は、３枚の用紙の裏面に広告情報を印刷することが可能と判断し、ランキングの高い順に、広告情報ａ、広告情報ｂ、広告情報ｃを選択する。これにより、広告サーバ200は、広告情報データベース205を参照し、印刷要求者の性別、年齢に応じた広告情報を取得することができる。
【００７２】
広告サーバ200は、ステップA9で広告情報データベース205から取得した広告情報を画像形成装置100に送信する（ステップA10）。
【００７３】
画像形成装置100は、印刷要求者の所望する原稿の画像データと、広告サーバ200から受信した広告情報と、を用紙に記録する（ステップA11）。例えば、原稿の画像データを用紙の表面に印刷し、広告情報を用紙の裏面に印刷する。これにより、画像形成装置100は、印刷要求者に応じた広告情報を広告サーバ200から取得し、その取得した広告情報を用紙に印刷することができる。
【００７４】
＜本実施形態の広告情報印刷システム＞
本実施形態の広告情報印刷システムは、印刷要求者が画像形成装置100を操作して原稿の画像データの印刷要求を行っている場合に、画像形成装置100は、印刷要求者をカメラ102で撮像し、印刷要求者の顔画像データを取得する（ステップA2）。画像形成装置100は、原稿の画像データの印刷を開始する場合は、印刷要求者の顔画像データをPOS端末300に送信する（ステップA4）。POS端末300は、印刷要求者の顔画像データを操作パネル301に表示し、店員が印刷要求者の性別、年齢の客層情報を人手操作で入力する（ステップA5）。POS端末300は、印刷要求者の顔画像データ、性別情報、年齢情報を含む印刷要求者個人情報を広告サーバ200に送信する（ステップA6）。広告サーバ200は、画像形成装置100から送信されてきた印刷要求者個人情報を該当する印刷要求者の連結リストに追加して個人情報データベース204に蓄積する（ステップA7）。また、広告サーバ200は、該当する印刷要求者の印刷要求者個人情報の性別、年齢の客層情報に応じた広告情報を広告情報データベース205から取得し、その取得した広告情報を画像形成装置100に送信する（ステップA9、A10）。画像形成装置100は、原稿の画像データと、広告サーバ200から受信した広告情報と、を用紙に印刷する。これにより、印刷要求者は、画像形成装置100の操作パネル101を操作して印刷要求者の年齢や性別を入力しなくとも、画像形成装置100は、印刷要求者の性別、年齢の客層情報に応じた広告情報を広告サーバ200から取得することができる。そして、その取得した広告情報を用紙に容易に印刷することができる。
【００７５】
（第３の実施形態）
次に、第３の実施形態について説明する。
【００７６】
上述した実施形態では、画像形成装置100は、印刷要求者の性別、年齢の客層情報に応じた広告情報を広告サーバ200から取得して印刷している。
【００７７】
第３の実施形態では、画像形成装置100は、画像形成装置100の周囲の環境情報を広告サーバ200に送信し、客層情報と環境情報とに応じた広告情報を広告サーバ200から取得して印刷する。これにより、画像形成装置100は、その画像形成装置100の周囲の環境情報が反映された広告情報を広告サーバ200から取得して用紙に印刷することができる。その結果、印刷要求者が印刷操作を行っている画像形成装置の周囲の環境条件を反映した広告情報を印刷要求者が閲覧できるため、印刷要求者に対する広告宣伝効果を向上することができる。環境情報としては、例えば、画像形成装置100の位置情報、画像形成装置100の周囲の温度、湿度、天候などがあげられる。第１実施形態の広告情報印刷システムにおいて環境情報に応じた広告情報を広告サーバ200から取得する場合は、図１３に示す処理動作を行うことで実現可能である。また、第２実施形態の広告情報印刷システムにおいて環境情報に応じた広告情報を広告サーバ200から取得する場合は、図１４に示す処理動作を行うことで実現可能である。
【００７８】
図１３では、画像形成装置100は、原稿の画像データの印刷要求を受け付けた場合に（ステップS3/Yes）、カメラ102で取得した印刷要求者の顔画像データを解析し、印刷要求者の性別、年齢を特定する（ステップS4）。また、画像形成装置100は、画像形成装置100の周囲の環境情報を取得する（ステップS21）。
【００７９】
次に、画像形成装置100は、印刷要求者の顔画像データ、印刷要求者の性別情報、年齢情報を含む印刷要求者個人情報と、画像形成装置100の周囲の環境情報と、を広告サーバ200に送信する（ステップS22）。この時、画像形成装置100は、画像形成装置100のＩＰアドレス、印刷枚数、用紙サイズをその他の情報として広告サーバ200に送信する。これにより、広告サーバ200は、画像形成装置100の周囲の環境情報を把握することができる。
【００８０】
次に、広告サーバ200は、広告情報データベース205を参照し、ステップS7で特定した印刷要求者の性別、年齢の客層情報と、ステップS6で受信した画像形成装置100の周囲の環境情報と、に応じた広告情報を取得する（ステップS23）。
【００８１】
本実施形態の場合は、広告情報データベース205に記憶されている広告情報は、図１５に示すように、環境情報と関連付けて記憶されることになる。環境情報としては、広告情報を掲載する掲載エリア、掲載気温、掲載湿度、掲載気候などがあげられる。図１５では、環境情報として、掲載エリア、掲載気温を示している。
【００８２】
例えば、広告情報を用紙の裏面に１枚ずつ印刷すると広告サーバ200に設定されていると仮定する。また、ステップS7で特定した印刷要求者の性別が男性、印刷要求者の年齢が１６歳と仮定する。また、ステップS6で広告サーバ200が画像形成装置100から受信した印刷枚数の情報が３枚であったと仮定する。また、ステップS6で広告サーバ200が画像形成装置100から受信した環境情報が、画像形成装置100の位置情報と、画像形成装置100の周囲の温度であり、その位置情報がエリアA内の範囲の位置情報であり、温度が32℃であったと仮定する。この場合、広告サーバ200は、３枚の用紙の裏面に広告情報を印刷することが可能と判断し、ランキングの高い順に、広告情報ｃ、広告情報ｄを選択する。また、残り１つの広告情報を選択することができるが、全ての条件を満足する広告情報がないため、優先度の高い方の環境条件を満足する広告情報を選択する。例えば、掲載エリアの優先度が高い場合は、広告情報ａを選択する。また、掲載気温の優先度が高い場合は、掲載気温を満足する広告情報がないため、掲載エリアを満足する広告情報ａを選択する。これにより、広告サーバ200は、広告情報データベース205を参照し、印刷要求者の性別、年齢の客層情報と、画像形成装置100の環境情報と、に応じた広告情報を取得することができる。
【００８３】
広告サーバ200は、ステップS23で広告情報データベース205から取得した広告情報を画像形成装置100に送信する（ステップS9）。
【００８４】
画像形成装置100は、印刷要求者の所望する原稿の画像データと、広告サーバ200から受信した広告情報と、を用紙に記録する（ステップS10）。例えば、原稿の画像データを用紙の表面に印刷し、広告情報を用紙の裏面に印刷する。これにより、画像形成装置100は、印刷要求者に応じた広告情報を広告サーバ200から取得し、その取得した広告情報を用紙に印刷することができる。
【００８５】
また、図１４では、画像形成装置100は、原稿の画像データの印刷要求を受け付けた場合に（ステップA3/Yes）、画像形成装置100の周囲の環境情報を取得する（ステップA21）。次に、画像形成装置100は、カメラ102で取得した印刷要求者の顔画像データと環境情報とをPOS端末300に送信する（ステップA22）。
【００８６】
POS端末300は、画像形成装置100から送信されてきた顔画像データを操作パネル301に表示し、店員が印刷要求者の性別、年齢の客層情報を人手操作で入力する（ステップA5）。POS端末300は、印刷要求者の顔画像データ、操作パネル301から入力された性別情報、年齢情報を含む印刷要求者個人情報と、環境情報と、を広告サーバ200に送信する（ステップA23）。この時、POS端末300は、画像形成装置100のＩＰアドレス、印刷枚数、用紙サイズをその他の情報として広告サーバ200に送信する。画像形成装置100のＩＰアドレス、印刷枚数、用紙サイズは、POS端末300が画像形成装置100から顔画像データと共に受信する。
【００８７】
次に、広告サーバ200は、広告情報データベース205を参照し、ステップA8で特定した印刷要求者の性別、年齢の客層情報と、ステップA7で受信した画像形成装置100の周囲の環境情報と、に応じた広告情報を取得する（ステップA24）。
【００８８】
広告サーバ200は、ステップA24で広告情報データベース205から取得した広告情報を画像形成装置100に送信する（ステップA10）。
【００８９】
画像形成装置100は、印刷要求者の所望する原稿の画像データと、広告サーバ200から受信した広告情報と、を用紙に記録する（ステップA11）。例えば、原稿の画像データを用紙の表面に印刷し、広告情報を用紙の裏面に印刷する。これにより、画像形成装置100は、印刷要求者に応じた広告情報を広告サーバ200から取得し、その取得した広告情報を用紙に印刷することができる。
【００９０】
＜本実施形態の広告情報印刷システムの作用・効果＞
このように、本実施形態の広告情報印刷システムは、画像形成装置100は、印刷要求者の画像データの客層情報と、画像形成装置100の周囲の環境情報と、に応じた広告情報を広告サーバ200から取得して印刷する。これにより、画像形成装置100は、その画像形成装置100の周囲の環境情報が反映された広告情報を広告サーバ200から取得して用紙に印刷することができる。その結果、印刷要求者が印刷操作を行っている画像形成装置100の周囲の環境条件を反映した広告情報を、印刷要求者が閲覧できるため、印刷要求者に対する広告宣伝効果を向上することができる。
【００９１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００９２】
例えば、上記実施形態の広告情報印刷システムでは、印刷要求者の顔画像をカメラ102で撮像し、印刷要求者の顔画像データを取得する例について説明した。しかし、印刷要求者の性別、年齢などの客層情報を特定することが可能であれば、印刷要求者の顔画像に限定せず、印刷要求者の全体画像を撮像することも可能である。また、上記実施形態では、性別、年齢を例に説明したが、印刷要求者の職業、世代などの客層情報を用いることも可能である。
【００９３】
また、上記実施形態では、原稿の画像データと広告情報とを用紙に記録する例について説明した。しかし、原稿の画像データと広告情報とを用紙に印刷する印刷形態は特に限定せず、任意のレイアウトで広告情報を用紙に印刷することが可能である。
【００９４】
また、上記実施形態の広告情報印刷システムを構成する各装置における制御動作は、ハードウェア、ソフトウェア、あるいは、両者の複合構成を用いて実行することも可能である。
【００９５】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００９６】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００９７】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００９８】
また、上記実施形態の広告情報印刷システムを構成する各装置は、上記実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。
【符号の説明】
【００９９】
１００    画像形成装置
２００    広告サーバ
３００    ＰＯＳ端末
ＮＷ    ネットワーク
１０１    操作パネル
１０２    カメラ
１０３    操作画面
１０４    操作ボタン
１１０    制御部
１１１    主記憶部
１１２    画像読取部
１１３    画像処理部
１１４    画像形成部
１１５    通信制御部
２０１    制御部
２０２    主記憶部
２０３    通信制御部
２０４    個人情報データベース
２０５    広告情報データベース
２０６    操作部
３０１    操作パネル
３１０    制御部
３１１    主記憶部
３１２    通信制御部
【先行技術文献】
【特許文献】
【０１００】
【特許文献１】特開２００３−２８５５１２号公報
【特許文献２】特開２０１０−０７６２６０号公報
【図１】
2014091254.tif 000003
【図２】
2014091254.tif 000004
【図３】
2014091254.tif 000005
【図４】
2014091254.tif 000006
【図５】
2014091254.tif 000007
【図６】
2014091254.tif 000008
【図７】
2014091254.tif 000009
【図８】
2014091254.tif 000010
【図９】
2014091254.tif 000011
【図１０】
2014091254.tif 000012
【図１１】
2014091254.tif 000013
【図１２】
2014091254.tif 000014
【図１３】
2014091254.tif 000015
【図１４】
2014091254.tif 000016
【図１５】
2014091254.tif 000017